(57)【要約】【課題】ゴミの詰まりを除去する為の高所作業を無くし、より確実にゴミを捕捉し、かつ雨水が溢れ出る恐れのない樋部材を提供する。【解決手段】ゴミを捕捉する箇所を竪樋の途中とし、形状は円管状をなし、その内部に雨水Ｗを上方から下方に流す主管部１５と、主管部１５の内部に配置され、雨水Ｗを通過させつつ、主管部１５の内部を、雨水Ｗと流れる固形物Ｔを捕捉可能な網部２０と、円管状をなし、主管部１５から斜め上方に分岐し、その内部は、網部２０の上方で主管部１５の内部に通じている分岐管部１６と、分岐管部１６の端部を密閉及び開放自在な取出口部２４と備えている。このように構成すると、高所作業を無くすことが可能となり、雨水Ｗと流れる固形物Ｔは網部２０に捕捉され、固形物Ｔをより確実に取り出すことが可能となる。また固形物Ｔが網部２０に詰まった場合、雨水Ｗが漏れ出ることを防ぐことができる。【選択図】図１
2014015712.tif 000002
【特許請求の範囲】
【請求項１】
円管状及び多角管状のいずれかをなし、その内部に雨水を上方から下方に流す主管部と、
前記主管部の内部に配置され、前記雨水を通過させつつ、前記主管部の内部を前記雨水と共に流れる固形物を捕捉可能な網部と、
円管状及び多角管状のいずれかをなし、前記網部の上方で前記主管部から斜め上方に分岐し、その内部は前記主管部の内部に通じている分岐管部と、
前記分岐管部の端部を密閉及び開放自在な取出口部と、
を備えた樋部材。
【請求項２】
前記網部の上方に前記主管部及び分岐管部に貯まった雨水を排水可能な排水口部を備える請求項１に記載の樋部材。
【請求項３】
前記排水口部は前記分岐管部の側面に具備されている請求項１又は２に記載の樋部材。
【請求項４】
前記主管部及び前記分岐管部の少なくともいずれか一方は透明部材で形成されている請求項１〜３のいずれか一項に記載の樋部材。
【請求項５】
前記分岐管部の下方側の内面は、前記取出口部から前記分岐管部の内部に向けて下方に湾曲する曲面を有する請求項１〜４のいずれか一項に記載の樋部材。
【発明の詳細な説明】
【技術分野】
【０００１】
本発明は雨水を上方から下方に流す樋部材に関するものである。
【背景技術】
【０００２】
従来、雨樋の構造において、例えば、特許文献１には、竪樋の中間部にゴミ受け部を配置することにより、竪樋を通過するゴミを捕捉する技術が開示されている。この特許文献１に記載の雨樋の構造では、竪樋の外周面に密着しつつ上下動自在であり、竪樋から取り外し自在である継手樋が設けられている。継手樋の下端部の下方には、傾斜を有する網部材を配設した深皿状のゴミ受け部が設けられている。ゴミ受け部は、継手樋の下方側の竪樋の上端に取り外し自在に連結されている。
【先行技術文献】
【特許文献】
【０００３】
【特許文献１】実開平３−６２９３０号公報
【発明の概要】
【発明が解決しようとする課題】
【０００４】
ゴミ受けは通常、屋根上の軒樋や谷樋に取り付けられているが、竪樋に取り付けることで高所作業を無くすことができる。しかしながら、上記特許文献１に記載されている考案は、竪樋とゴミ受け部との間に開放された空間があるため、ゴミがゴミ受け部に溜まった場合、竪樋を流れる雨水が溢れ出る恐れがある。また、例えば、継手樋及びゴミ受け部に溜まったゴミが大きいと、継手樋を上下動させ取り外すことが困難な場合がある。また、継手樋又はゴミ受け部に溜まったゴミを取り除くことが容易でない場合がある。特に、鉄道の駅などのように不特定多数の人が行き交う公共施設では、雨樋の内部に大きなゴミが詰まる場合がある。そこで、本発明は、屋根にのぼることなく、より確実にゴミを取り除くことができ、かつ雨水が溢れ出る可能性をより少なくした樋部材の提供を目的とする。
【課題を解決するための手段】
【０００５】
本発明の樋部材によれば、円管状及び多角管状のいずれかをなし、その内部に雨水を上方から下方に流す主管部と、主管部の内部に配置され、雨水を通過させつつ、主管部の内部を雨水と共に流れる固形物を捕捉可能な網部と、円管状及び多角管状のいずれかをなし、網部の上方で主管部から斜め上方に分岐し、その内部は主管部の内部に通じている分岐管部と、分岐管部の端部を密閉及び開放自在な取出口部と、を備えることを特徴とする。
【０００６】
これにより、雨水が部材の主管部内を流れる際、網部は雨水と一緒に流れる固形物を捕捉する。分岐管部は固形物を捕捉する網部の上方で、主管部から斜め上方に分岐し、取出口部は分岐管部を密閉及び開放自在なため、取出口部を開放した後に分岐管部を介して、網部の上方から網部に捕捉された固形物をより確実に取り出すことが可能となる。また、固形物が網部に詰まった場合であっても雨水が取出口部により密閉された主管部及び分岐管部に貯まるため、雨水が漏れ出ることを防ぐことが可能となる。
【０００７】
この場合、網部の上方に主管部及び分岐管部に貯まった雨水を排水可能な排水口部を備えることができる。
【０００８】
このように構成すると、固形物が網部に詰まり主管部及び分岐管部に雨水が貯まった場合でも、主管部及び分岐管部に貯まった雨水を排水することができる。このため、雨水を排水することにより、雨水が溢れ出ることを防止しつつ、網部の上方に捕捉された固形物を取り出しやすくすることができる。
【０００９】
また、排水口部は分岐管部の側面に具備されていてもよい。
【００１０】
このように構成すると、主管部に対して、取出口部と排水口部とが同じ側になる。このため、主管部及び分岐管部に貯まる雨水を排水する操作及び取出口部より固形物を取り出す操作の操作性がよくなる。
【００１１】
また、主管部及び分岐管部の少なくともいずれか一方は透明部材で形成されていてもよい。
【００１２】
このように構成すると、主管部又は分岐管部内に貯まった雨水の量を外から容易に知ることが可能となる。また、主管部又は分岐管部内の固形物の量を外から容易に知ることが可能となる。
【００１３】
また、分岐管部の下方側の内面は、取出口部から分岐管部の内部に向けて下方に湾曲する曲面を有していてもよい。
【００１４】
このように構成すると、取出口部から固形物を取り出す場合、曲面に沿って固形物を取り出すことにより、固形物が主管部又は分岐管部に引っかかりにくくなるため、固形物を容易に取り出すことができる。
【発明の効果】
【００１５】
本発明の樋部材によれば、より確実かつ容易にゴミを取り出すことができ、かつ雨水が溢れ出る可能性をより少なくすることができる。
【図面の簡単な説明】
【００１６】
【図１】本発明の実施形態に係る樋部材の斜視図である。
【図２】本実施形態に係る樋部材の側面図である。
【図３】本実施形態に係る樋部材の正面図である。
【図４】本実施形態に係る樋部材の平面図である。
【図５】本実施形態に係る樋部材の分岐管部内の斜視図である。
【図６】本実施形態に係る網部の斜視図である。
【図７】本実施形態に係る樋部材が適用される既存の雨樋を示した側面図である。
【図８】本実施形態に係る樋部材を配置するために、既存の樋の一部を切除した状態を示した側面図である。
【図９】本実施形態に係る樋部材を配置した状態を示した側面図である。
【図１０】本実施形態に係る樋部材が雨水を貯留する様子を表した概略図である。
【図１１】本実施形態に係る排水口部の排水操作を説明する概略図である。
【図１２】本実施形態に係る排水口部の排水操作の一変形例を説明する概略図である。
【図１３】本実施形態に係る排水口部の排水操作の他の変形例を説明する概略図である。
【図１４】本実施形態に係る取出口部より固形物を取り出す操作を表した概略図である。
【発明を実施するための形態】
【００１７】
以下、添付図面を参照して本発明の実施形態について具体的に説明するが、本発明は以下の実施形態に限定されるものではない。
【００１８】
まず図１から図３を用いて樋部材１０について説明する。図１に示すように、樋部材１０は、上側接続部１２、主管部１５、下側接続部１４、分岐管部１６、網部２０、取出口部２４、及び排水口部２８で構成されている。本実施形態の樋部材１０は、後述するように、既存の雨樋の一部を切除した後の上側雨樋２００ａと下側雨樋２００ｂとの間に取り付けられるものである。本実施形態の樋部材１０を構成する、上側接続部１２、主管部１５、下側接続部１４、及び分岐管部１６は円管状である。樋部材１０を構成する、上側接続部１２、主管部１５、分岐管部１６、及び下側接続部１４は、既存の部材を用いて構成してもよい。例えば、主管部１５及び分岐管部１６は、Ｙ字管などを用いてもよい。また、上側接続部１２又は下側接続部１４は、継手部材などを用いてもよい。樋部材１０を構成する、上側接続部１２、主管部１５、分岐管部１６、及び下側接続部１４の内径は、既存の雨樋と同程度の内径である６０ｍｍから１５０ｍｍとできる。あるいは、樋部材１０を構成する、上側接続部１２、主管部１５、分岐管部１６、下側接続部１４の内径は、ゴミが取出しやすいように、既存の雨樋より大きな径とできる。樋部材１０を構成する部材は、部材を通して対象を視認可能な程度に光透過率が高い部材で形成されている。樋部材１０を構成する、上側接続部１２、主管部１５、分岐管部１６、下側接続部１４は、例えば、アクリルやポリカーボネードなどの合成樹脂で形成されていてもよい。
【００１９】
図２及び図３に示すように、主管部１５は、主管部１５の上方と上側接続部１２の下方とが繋ぎ合うように接続する。また主管部１５は、主管部１５の下方と下側接続部１４の上方とが繋ぎ合うように接続する。主管部１５の上方と上側接続部１２の下方との接合部、又は主管部１５の上方と上側接続部１２の下方との接合部は、回転自在であってもよい。上側接続部１２は、既存の雨樋の一部を切除した後の上側雨樋２００ａに接続可能とされている。下側接続部１４は、既存の雨樋の一部を切除した後の下側雨樋２００ｂに接続可能とされている。なお、下側接続部１４の側面には、下側接続部１４の内部に外部から雨水Ｗを導入するための開閉自在な迂回口１４ｈが設けられている。主管部１５の下端部はその上部よりも小径とされた段差部１８が設けられている。網部２０は、主管部１５の内部に形成された段差部１８の上に載置される。網部２０は、主管部１５の内部で一定の高さに配置される。また、図中に破線で示すように、網部２０は、主管部１５から上方に取り外し自在である。後述するように、網部２０は雨水Ｗを通過可能でありかつ固形物Ｔを捕捉可能な構造を有している。
【００２０】
分岐管部１６は、網部２０の例えば８０ｍｍから４００ｍｍ上方で、主管部１５から斜め上方に分岐している。分岐管部１６の内部は、主管部１５の内部に通じている。分岐管部１６の中心線は、例えば、主管部１５の中心線に対して斜め上方に３０°から８０°の角度をなして分岐している。分岐管部１６は端部に至るにつれて水平方向に伸びるように湾曲している。分岐管部１６の端部はゴミを取り出しやすいように、水平方向を向いている。分岐管部１６の端部は密閉及び開放自在な取出口部２４を備えている。
【００２１】
さらに、分岐管部１６の下方側の内面は、取出口部２４から分岐管部１６の内部に向けて下方に湾曲する曲面２２を有している。曲面２２は、例えば、主管部１５又は分岐管部１６の内径の２／５から２／３、好ましくは１／２の曲率半径を有する。あるいは、曲面２２は、主管部１５の側面から取出口部２４に至るまで一様に湾曲する曲面でできている。
【００２２】
閉口栓２６は、取出口部２４に装着することができる。例えば、閉口栓２６に形成されるネジによって、取出口部２４に装着してもよい。
【００２３】
閉口栓２６を取出口部２４に装着することにより、取出口部２４は密閉及び開放自在にすることができる。さらに、閉口栓２６は閉口栓把持部２６ａを備えている。閉口栓２６が閉口栓把持部２６ａを備えることにより、閉口栓２６は持ちやすくなる。このため、閉口栓２６はより容易かつより確実に取出口部２４に装着することができ、取出口部２４をより容易かつより確実に密閉することができる。
【００２４】
排水口部２８は、網部２０の上方であって、分岐管部１６の曲面２２の外側に具備されている。排水口部２８の内部は、分岐管部１６の内部に通じている。止水栓３０が排水口部２８の端に装着される。止水栓３０を排水口部２８の端に装着することにより、排水口部２８は密閉及び開放自在にすることができる。例えば、止水栓３０は、止水栓３０に形成されるネジによって、排水口部２８に装着してもよい。
【００２５】
次に、図４から図６を用いて網部２０の詳細について説明する。上側接続部１２の上方から樋部材１０を見た図４に示すように、主管部１５の内部において、網部２０は雨水Ｗを通過させつつ、雨水Ｗと一緒に樋部材１０の中を通過する固形物Ｔを捕捉することができるように配置されている。なお、主管部１５に形成される網部２０を配置するための段差部１８は、主管部１５の内側の側面の少なくとも一部に形成されていればよい。一方、図５に示すように、取出口部２４より分岐管部１６の内部を通して覗くと、主管部１５に配置された網部２０が見える。取出口部２４から曲面２２に沿って手を入れると、網部２０まで手が届く。このため、分岐管部１６を介して、網部２０の上方に堆積された固形物Ｔや網部２０を取出口部２４から取り出すことができる。
【００２６】
網部２０は、図６に示すように、側部２０ａと、挟持軸部２０ｂと、受軸２０ｃと、軸端２０ｄとで構成されている。網部２０の側部２０ａは内筒状であり、側部２０ａの筒の直径は、主管部１５の内径より小さく、段差部１８の内径より大きい。側部２０ａの直径は、分岐管部１６の内径及び取出口部２４の内径より小さい。網部２０の挟持軸部２０ｂは、網部２０の中心から突起している軸上の部材である。挟持軸部２０ｂを挟持することにより、網部２０を樋部材１０の外へ取り出すなどの操作をすることができる。網部２０の受軸２０ｃは、側部２０ａと挟持軸部２０ｂとを連結するように挟持軸部２０ｂより側部２０ａへ放射状に形成されている軸である。受軸２０ｃにより、網部２０は雨水Ｗと一緒に流れる固形物Ｔを捕捉する。網部２０の軸端２０ｄは、挟持軸部２０ｂの端に形成されている。軸端２０ｄを把持することにより、網部２０を主管部１５から取り出すことができる。なお、受軸２０ｃの軸の数は、固形物Ｔを捕捉する目的において、任意に設定することができる。また、受軸２０ｃの軸と軸の間隔も、固形物Ｔを捕捉する目的において、任意に設定することができる。さらに、網部２０は雨水Ｗを通過可能かつ固形物Ｔを捕捉可能な構造を有していて、主管部１５内の段差部１８に載置でき、分岐管部１６の取出口部２４より取り出すことができる部材であれば、受軸２０ｃの代わりに網などを用いてもよい。
【００２７】
次に、図７から図９を用いて、樋部材１０の配置について説明する。図７に示すように、樋部材１０は既存の雨樋２００に適用される。既存の雨樋では、一般的に、雨樋２００を介して、屋根１００に降った雨水Ｗが地上へ排水されるように設計されている。屋根１００に降った雨水Ｗは、谷樋１２０へ集められ、谷樋１２０に形成された集水口１４０を通り、雨樋２００へと流れる。集水口１４０には屋根に落下した空き缶等のゴミを捕捉する落口網１６０が配置されている。
【００２８】
樋部材１０を配置するため、図８に示すように、雨樋２００の一部２１０が切除され、落口網１６０が外される。雨樋の一部２１０が切除されると、雨樋２００は上側雨樋２００ａと下側雨樋２００ｂとに分断される。切除される一部２１０の高さは、任意であるが、例えば、一般的に立った人の手が届く範囲では、地上から０．８ｍから１．２ｍ程度である。
【００２９】
図９に示すように、樋部材１０を配置するために、上側接続部１２と上側雨樋２００ａとが接続され、下側接続部１４と下側雨樋２００ｂとが接続される。樋部材１０の配置後、屋根１００に降った雨水Ｗは、上側雨樋２００ａ、樋部材１０、下側雨樋２００ｂを介して、地上へと排水される。
【００３０】
さらに、図１０に示すように、雨水Ｗと一緒に固形物Ｔが流れる場合、網部２０は固形物Ｔを捕捉する。網部２０によって捕捉された固形物Ｔの量が増えるにつれ、上側接続部１２から下側接続部１４へ流れる雨水Ｗの量は減少する。捕捉された固形物Ｔの量が所定量を超えると、雨水Ｗは主管部１５を流れることなく、主管部１５の内部に溜まり始める。そして、主管部１５及び分岐管部１６は、透明であり固形物Ｔを発見しやすく、完全に詰まる前に固形物Ｔを除去することにより、樋からの雨漏れ防止をはかることが可能である。降雨では、捕捉された固形物Ｔの量が所定量を超えた場合であっても、主管部１５及び分岐管部１６の内部に雨水Ｗが貯まるため、雨水Ｗが樋の外に溢れ出にくくなる。
【００３１】
そして、図１１に示すように、雨水Ｗが主管部１５及び分岐管部１６に貯まった場合、排水口部２８から排水する。排水口部２８に具備されている止水栓３０を開栓することにより、排水口部２８から、主管部１５及び分岐管部１６に貯まった雨水Ｗを排水することができる。
【００３２】
本実施形態の一変形例では、図１２に示すように、排水口部２８付近に漏斗５０を近づける。漏斗５０はホース５２が具備されている。ホース５２の端部は、例えば、地上の排水溝や排水口などに挿入する。そして、排水口部２８から排水される雨水Ｗを漏斗５０で受ける。このようにすると、樋部材１０の内部に貯まった雨水Ｗを地上の排水溝や排水口などに排水することが可能である。
【００３３】
また、本実施形態の他の変形例では、図１３に示すように、排水口接続部６２が排水口部２８と接続される。排水口接続部６２は迂回管６０及び迂回口接続部６４を有している。排水口接続部６２と迂回口接続部６４は迂回管６０を介して内部がつながっている。そして、迂回口接続部６４は、下側接続部１４に形成された迂回口１４ｈに接続される。排水口接続部６２と排水口部２８とは、排水口接続部６２が排水口部２８に着脱可能な部材で形成されていてもよい。このように構成すると、樋部材１０の内部に貯まった雨水Ｗを迂回させて下側接続部１４より排水することが可能である。
【００３４】
そして、排水口部２８から雨水Ｗが排水されると、主管部１５又は分岐管部１６の内部の雨水Ｗの量が少なくなる。貯まった雨水Ｗが少なくなってから、取出口部２４を開放する。このようにすると、図１４に示すように、開放した取出口部２４より固形物Ｔを取り出すことができる。取出口部２４を開放するのは、雨水Ｗの液面が取出口部２４より下方であればよく、雨水Ｗが必ずしも完全に排水される必要はない。取出口部２４より固形物Ｔを取り出すとき、排水口部２８には止水栓３０が装着されていてもよい。また、取出口部２４より固形物Ｔを取り出すとき、排水口部２８に止水栓３０が装着されていなくてもよい。
【００３５】
上述したように、本実施形態に係る樋部材１０によれば、上側接続部１２から入った雨水Ｗは、主管部１５の内部を通り、下側接続部１４へ流れる。雨水Ｗが主管部１５を流れる際、網部２０は、雨水Ｗと一緒に流れる固形物Ｔを捕捉する。樋部材１０が、透明部材すなわち光透過率が高い部材で構成されている場合は、捕捉された固形物Ｔの量を外から容易に知ることが可能となる。取出口部２４を開放した後に分岐管部１６を介して、網部２０の上方から網部２０に捕捉された固形物Ｔをより確実に取り出すことが可能となる。分岐管部１６には曲面２２が形成されているため、取出口部２４から固形物Ｔを取り出す場合、曲面に沿って固形物Ｔを取り出すことにより、固形物Ｔが主管部１５又は分岐管部１６に引っかかりにくくなるため、固形物Ｔを容易に取り出すことができる。
【００３６】
よって、樋部材１０を配置することにより、固形物Ｔが網部２０の上部に堆積するため、固形物Ｔを容易に取り出すことができる。さらに、樋部材１０が設置される高さが、立った人の手が届く範囲であるとき、より容易に固形物Ｔを取り出すことができる。
【００３７】
このため、屋根に清掃員が上って、直に集水口１４０に堆積するゴミを除く作業をする必要性が減り、高所での作業を省略することができる。
【００３８】
また、雨水Ｗは取出口部２４により密閉された主管部１５及び分岐管部１６に貯まるため、雨水Ｗが溢れ出ることを防ぐことが可能となる。なお、樋部材１０が、透明部材すなわち光透過率が高い部材で構成されているため、雨水Ｗが貯まる前に点検、清掃を行い、雨水Ｗが溢れることを未然に防止することが可能となる。
【００３９】
また、開閉自在の排水口部２８が分岐管部１６に設けられているため、固形物Ｔが網部２０に詰まり主管部１５及び分岐管部１６に雨水Ｗが貯まった場合でも、排水口部２８により、主管部１５及び分岐管部１６に貯まった雨水Ｗを排水可能である。このため、雨水Ｗを排水することにより、雨水Ｗが溢れ出ることを防止しつつ、網部２０の上方に捕捉された固形物Ｔを取出しやすくすることができる。
【００４０】
このため、例えば、駅のホームなどに樋部材１０を用いた場合、網部２０に空き缶等の大きな固形物Ｔが詰まった場合でも、雨水Ｗがホーム上に流出することを防ぐことができる。
【００４１】
また、排水口部２８は分岐管部１６の曲面２２の外側に配置されている。本実施形態では、主管部１５に対して、取出口部２４と排水口部２８とが同じ側になるように配置する。このため、主管部１５及び分岐管部１６に貯める雨水Ｗを排水する操作及び取出口部２４より固形物Ｔを取り出す操作の操作性がよくなる。
【００４２】
上述した実施形態は、本発明に係る樋部材１０の一例を示すものであり、実施形態に係る樋部材に限られるものではなく、変形し、又は他のものに適用したものであってもよい。
【００４３】
本実施形態において、樋部材１０を構成する、上側接続部１２、主管部１５、下側接続部１４、及び分岐管部１６は円管状の部材を用いたが、樋部材１０を構成する部材は、円管状に限らず多角管状の部材を用いてもよい。この場合であっても、本実施形態と同様の効果を奏することができる。
【００４４】
また、上述した実施形態では、屋根１００に降った雨水Ｗは、谷樋１２０へ集められ、谷樋１２０に形成された集水口１４０を通り、雨樋２００へと流れる。そして集水口１４０には落口網１６０が配置されている。しかし、樋部材１０の適用において、谷樋１２０、集水口１４０、落口網１６０は必ずしも必要としない。
【００４５】
また、上述した実施形態では、下側接続部１４に迂回口１４ｈが形成されているとしたが、網部２０より下方であれば、迂回口１４ｈが形成されるのは、主管部１５又は分岐管部１６であってもよい。このように構成した場合であっても、主管部１５及び分岐管部１６に貯まった雨水Ｗを排水することができる。
【００４６】
また、例えば、閉口栓２６は、ゴム等の弾性部材を取出口部２４との間に介在させることで、止水してもよい。このように構成すると、ネジで締めることや、溶接等の技術が不要となり、容易に、開閉自在かつ密閉可能な構成となる。
【００４７】
また、例えば、堆積する固形物Ｔの種類に応じて、樋部材１０において、排水口部２８と主管部１５又は分岐管部１６とがつながる部分に、網などの部材を備えていてもよい。このように構成すると、貯まった雨水Ｗの中を浮いている小さい葉などが詰まることなく、排水することが可能となる。また、この網などは、樋部材１０の内径方向に凸形状の網であってもよい。このように構成すると、貯まった雨水Ｗの中を浮いている葉等の詰まりを防ぐ面積が大きくなるため、より効率的に排水することが可能となる。
【００４８】
また、例えば、樋部材１０は、異なる内径を有する円管状、又は異なる断面積を有する多角管状を多層に用いて構成した部材であってもよい。すなわち、例えば、ある内径を持つ第１管に対して、第１管より大きい内径を持つ第２管を同心かつ多層に接続した部材であってもよい。このように構成すると、固形物Ｔは第１管内の網部２０に捕捉することができ、捕捉された固形物Ｔによって溢れた雨水Ｗは、第１管と第２管の間に流れる。このため、ゲリラ豪雨等の局地的に短時間の降雨量が増大した場合であっても、排水量を増やすことができる。
【００４９】
また、例えば、樋部材１０の、上側接続部１２、主管部１５、分岐管部１６、及び下側接続部１４をあらかじめ接続させておいてもよい。これにより、樋部材１０を雨樋２００の近くで組み立てることなく、少ない操作により、樋部材１０を雨樋２００へ配置することができる。また、樋部材１０の、上側接続部１２、主管部１５、分岐管部１６、及び下側接続部１４が、接続及び分離可能な場合、樋部材１０を設置するまで、それぞれの部材を分離させておいてもよい。
【００５０】
また、例えば、上側接続部１２と上側雨樋２００ａとを接続させる操作、及び下側接続部１４と下側雨樋２００ｂとを接続させる操作の順序は、何れが先であってもよい。そして、樋部材１０と雨樋２００との配置方法は、ケンドン式であってもよい。
【符号の説明】
【００５１】
１０…樋部材、１５…主管部、１６…分岐管部、２０…網部、２４…取出口部、２８…排水口部。
【図１】
2014015712.tif 000003
【図２】
2014015712.tif 000004
【図３】
2014015712.tif 000005
【図４】
2014015712.tif 000006
【図５】
2014015712.tif 000007
【図６】
2014015712.tif 000008
【図７】
2014015712.tif 000009
【図８】
2014015712.tif 000010
【図９】
2014015712.tif 000011
【図１０】
2014015712.tif 000012
【図１１】
2014015712.tif 000013
【図１２】
2014015712.tif 000014
【図１３】
2014015712.tif 000015
【図１４】
2014015712.tif 000016